(57)【要約】本発明による燃料電池システム（１００）は、反応物分配システム（１１８、１１８'、１１８''）及び／又は副生物除去システム（１４２、１４２'、１４２''）を備えている。
2006501629.tif 000002
【特許請求の範囲】
【請求項１】
表面を画定する電極（１０６）、
前記電極に関連付けられており且つ前記電極表面の少なくともかなりの部分の上に反応物を分配するよう構成されている毛管反応物分配構造（１２０）、及び
圧力をかけて前記毛管反応物分配構造に反応物を供給する反応物供給装置（１１８、１１８'、１１８''）、
を含んで成る燃料電池システム。
【請求項２】
前記毛管反応物分配構造（１２０）が外縁部を画定し、且つ前記反応物供給装置（１１８'、１１８''）が、前記毛管反応物分配構造の前記外縁部のうちの少なくとも１つの領域に反応物を送るところの少なくとも１つの中空部材（１６０、１６０'）を備える、請求項１に記載の燃料電池システム。
【請求項３】
前記毛管反応物分配構造（１２０）から副生物を受け取る副生物除去装置（１４２、１４２'、１４２''）をさらに含む、請求項１に記載の燃料電池システム。
【請求項４】
前記副生物除去装置（１４２'、１４２''）が、少なくとも１つの、実質的に気体透過性で実質的に液体非透過性である中空部材（１７０、１７０'）を備える、請求項３に記載の燃料電池システム。
【請求項５】
前記毛管反応物分配構造（１２０）と前記電極（１０６）とが、別個の構造要素である、請求項１に記載の燃料電池システム。
【請求項６】
燃料極（１０６）、及び
空気極（１０８）、
を含んで成り、
前記燃料極及び前記空気極の少なくとも一方が、反応物に毛管力をかけて前記反応物を反応層の上に分配し且つ電流を伝えるように構成されている反応層（１０６ａ）及び電流コレクタ（１０６ｂ'）を含む、燃料電池。
【請求項７】
前記燃料極（１０６）が、前記反応層（１０６ａ）及び前記電流コレクタ（１０６ｂ'）を含む、請求項６に記載の燃料電池。
【請求項８】
前記電流コレクタ（１０６ｂ'）が、非導電性多孔質中空部材を含む、請求項６に記載の燃料電池。
【請求項９】
前記電流コレクタ（１０６ｂ'）が、非導電性部分と導電性部分を含む、請求項６に記載の燃料電池。
【請求項１０】
前記電流コレクタ（１０６ｂ'）が、複数の導電性ファイバを含む、請求項６に記載の燃料電池。
【請求項１１】
表面を画定する電極（１０６）、
前記電極に関連付けられており、外縁部を画定しており、且つ前記電極表面の少なくともかなりの部分の上に反応物を分配するよう構成されている毛管反応物分配構造（１２０）、及び
前記毛管反応物分配構造の前記外縁部のうちの少なくとも１つの領域に反応物を送るところの少なくとも１つの中空部材（１６０、１６０'）を備える反応物供給装置（１１８'、１１８''）、
を含んで成る燃料電池システム。
【請求項１２】
前記反応物供給装置が、能動要素（１２２）を含む、請求項１１に記載の燃料電池システム。
【請求項１３】
前記反応物供給装置（１１８'、１１８''）が、前記毛管反応物分配構造（１２０）の前記外縁部のうちの複数の領域に反応物を送るところの複数の中空部材（１６０、１６０'）を備える、請求項１１に記載の燃料電池システム。
【請求項１４】
２つの前記反応物供給用中空部材（１６０、１６０'）の間に配置されている、少なくとも１つの実質的に気体透過性で実質的に液体非透過性である副生物除去用中空部材（１７０、１７０'）をさらに含む、請求項１３に記載の燃料電池システム。
【請求項１５】
前記少なくとも１つの中空部材（１６０、１６０'）が、前記毛管反応物分配構造（１２０）内に埋め込まれている、請求項１１に記載の燃料電池システム。
【請求項１６】
電極（１０６）、
前記電極に関連付けられており且つ前記電極表面の少なくともかなりの部分の上に反応物を分配するよう構成されている多孔質反応物分配構造（１２０）、及び
前記多孔質反応物分配構造に関連付けられている、実質的に気体透過性で実質的に液体非透過性である副生物除去装置（１４２'、１４２''）、
を含んで成る燃料電池システム。
【請求項１７】
前記多孔質反応物分配構造（１２０）が、毛管反応物分配構造を含む、請求項１６に記載の燃料電池システム。
【請求項１８】
前記多孔質反応物分配構造（１２０）が外縁部を画定し、且つ前記実質的に気体透過性で実質的に液体非透過性である副生物除去装置（１４２'、１４２）が、前記多孔質反応物分配構造の前記外縁部内に配置されている少なくとも１つの実質的に気体透過性で実質的に液体非透過性である中空部材（１７０、１７０'）を含む、請求項１６に記載の燃料電池システム。
【請求項１９】
前記実質的に気体透過性で実質的に液体非透過性である中空部材（１７０、１７０'）が、前記多孔質反応物分配構造（１２０）内に埋め込まれている、請求項１８に記載の燃料電池システム。
【請求項２０】
前記多孔質反応物分配構造（１２０）が外縁部を画定し、且つ前記実質的に気体透過性で実質的に液体非透過性である副生物除去装置が、前記多孔質反応物分配構造の前記外縁部内に配置されている複数の実質的に気体透過性で実質的に液体非透過性である中空部材（１７０、１７０'）を含む、請求項１６に記載の燃料電池システム。
【発明の詳細な説明】
【技術分野】
【０００１】
本発明は、燃料電池、並びに燃料電池反応物及び副生物用システムに関する。
【背景技術】
【０００２】
燃料電池は、燃料及び酸化剤を、電気と反応生成物とに変換するものであり、それは、より高いエネルギー密度を有し、充電式電池のような長い充電サイクルによって中断されず、比較的小型軽量であり、実質的に環境排出物を生成しないため有益である。
【発明の開示】
【発明が解決しようとする課題】
【０００３】
しかしながら、本発明者は、従来の燃料電池に改良の余地があると判断した。より詳細には、本発明者は、燃料電池の電極に反応物を送り且つ電極から副生物を除去するための改善されたシステムを提供することが有益であろうと判断した。
【０００４】
例えば、燃料極側に関しては、従来の燃料電池の燃料送出システムは、燃料極に液体燃料を連続的に送り、そして燃料極を燃料中に浸す。本発明者は、燃料極へのこの燃料分配法では、燃料極から空気極への燃料クロスオーバーがもたらされ、それによって燃料電池の総合効率が低下してしまうと判断した。燃料クロスオーバーはまた、より低い濃度の燃料を使用することを必要とし、その結果、システムがそうでない場合よりも大きくなり重くなる。また、従来の燃料電池の燃料送出システムを使用して燃料極上に燃料を均一に分配することは困難である。燃料極反応の副生物に関しては、本発明者は、副生物をより効率的に除去することによって燃料電池の反応速度が改善され電力密度が高まるであろうと判断した。
【課題を解決するための手段】
【０００５】
【発明を実施するための最良の形態】
【０００６】
添付の図面を参照して、本発明の好ましい実施形態の詳細な説明を行うこととする。
【０００７】
以下は、現在最も知られている本発明の実施態様に関する詳細な説明である。この説明は、限定の意に解釈されるべきでなく、単に本発明の一般的な原理を例示するために行うものである。本発明に関係しない燃料電池構造の詳細な検討は、簡略のため省略していることに留意されたい。
【０００８】
また、本発明は、現在開発されているもの又はまだ開発されていないものをはじめとする、広範囲の燃料電池技術に適用可能である。したがって、以下に、直接メタノール燃料電池（「ＤＭＦＣ」）に関連して種々の例示的な燃料電池システムを説明するが、エタノール燃料電池や酵素燃料電池などの液体反応物が関与する他のタイプの燃料電池もまた等しく本発明を適用可能である。さらに、図示する例示的な実施形態の燃料電池は、互いに対向する燃料極を有するよう、対状に構成されている（「共用燃料極チャンバ（ｓｈａｒｅｄ  ａｎｏｄｅ  ｃｈａｍｂｅｒ）」構成とも呼ばれる）。一連の燃料電池対は、縦方向に積み重ねることも（図１では２つの対が積み重ねられている）、平面的に互いに隣り合わせて配置することもできる（図１Ａでは４つの対が示されている）。また、単一の対を単独で使用することもできる。あるいはまた、個別の燃料電池を、従来のバイポーラ構成にて積み重ねることも、平面的に互いに隣り合わせて配置することも、又は単純に単独で使用することもできる。
【０００９】
例えば図１〜図３に示すように、本発明の一実施形態による燃料電池システム１００は、スタック１０４状に配列した複数の燃料電池１０２を備える。各燃料電池１０２は、薄いイオン伝導膜１１０によって隔てられている燃料極１０６と空気極１０８とを備える。膜１１０の両側にある燃料極１０６及び空気極１０８は、膜電極アセンブリ（「ＭＥＡ」）を構成する。例示的な実施形態では、燃料極１０６は、触媒層１０６ａ及び多孔質電流コレクタ１０６ｂから成る。例示的な空気極１０８は、触媒層１０８ａ及び多孔質電流コレクタ１０８ｂから成る。例示的なイオン伝導膜１１０は、電解質として機能する。本発明と共に用い得る代替のＭＥＡにおいては、触媒層１０６ａ及び１０８ａは、膜１１０によって支持することができ、さらに別の代替構成においては、燃料極と空気極と膜とが、それぞれ触媒層を備えることができる。さらに、追加の金属電流コレクタを、金属でも金属でなくてもよい多孔質電流コレクタに接触させて配置することができる。
【００１０】
例示的なシステム１００における個々のセル１０２は、隣接する電池の燃料極１０６が約０．０５ｍｍ〜約５ｍｍの間隔で互いに対向し、且つ隣接する電池の空気極１０８が約０．１ｍｍ〜約１０ｍｍの間隔で互いに対向するように、積み重ねられている。スタック１０４の端にある空気極１０８は、壁１１４に面している。そのような配列では、隣接する燃料極１０６間のスペースが燃料領域１１２を画定し、隣接する空気極１０８（又は空気極と壁１１４）間のスペースが、酸化剤領域１１６を画定する。燃料極と空気極は、負荷の電力要件に応じて、直列に、並列に、又は直列と並列を組み合わせて接続することができる。共用燃料極チャンバ構成においては、２つの隣接する燃料極１０６を並列に互いに接続し、且つそれぞれの空気極１０８を並列に接続し、並列の燃料極対を隣合う並列の空気極対と直列に接続することができる。
【００１１】
例示的なＤＭＦＣ１０２では、メタノール／水混合物などの液体燃料が燃料領域１１２に供給され、酸素又は空気が酸化剤領域１１６に供給される。燃料は燃料極１０６で電気化学的に酸化され、それによって、副生物（例示的な実施形態では二酸化炭素）とプロトンが生成し、該プロトンは伝導膜１１０を通って移動し空気極１０８で酸素と反応して副生物（例示的な実施形態では水蒸気）を生成する。
【００１２】
図１及び図３に示すように、例示的な燃料電池システム１００では、燃料は、燃料供給装置１１８によって燃料領域１１２の入口に比較的低い圧力で供給され、次いで、燃料分配要素１２０によって燃料極１０６表面上に薄い層状に分配される。燃料供給装置１１８は、リザーバ又は加圧リザーバ（ブラダなど）から燃料を取り出すポンプや、ポンプのように機能する弁機構などの能動装置１２２と、燃料供給チャネル１２４を含むマニホルドや他の分配機構とを備えることが好ましい。燃料供給チャネル１２４は、燃料分配要素１２０に燃料を供給する。本発明は、燃料を燃料供給チャネル１２４から燃料分配要素１２０に移動させる特定の方法に限定されないが、図３に示す例示的な燃料供給チャネルは、関連する燃料分配要素に接して長手方向に延在するスロット１２６を備えている。あるいはまた、燃料分配要素１２０の一端の一部を、関連するスロット１２６に挿入することができる。スロット１２６の長さは、実質的に燃料分配要素１２０の長さに相当する。
必要であれば、シール材を設けることができる。。
【００１３】
酸化剤は、酸化剤供給装置１２８によって酸化剤領域１１６に供給することができる。酸化剤供給装置１２８は、単純に、スロット１３３を有する酸化剤供給チャネル１３２を含むマニホルドや他の分配機構を介して周囲空気を酸化剤領域１１６内及び空気極１０８表面に流すことができる適切な通気孔１３０（必要に応じてファンを備える）であることが好ましい。
【００１４】
図４に、燃料分配要素と燃料供給チャネルとの間の例示的な代替の接続を示す。ここでは、例示的な燃料供給チャネル１２４'が、燃料分配要素１２０と同じ特性を有する材料から形成し得る燃料分配要素１３４によって包囲されている。燃料分配要素１３４は、燃料供給チャネルに形成された孔１３６を介して燃料を受け取る。例示的な実施形態では、例示的な燃料供給チャネル１２４'が管状構造の場合、孔１３６は、管状構造の側壁に形成される。孔１３６は、燃料分配要素１２０の関連する端と同一の拡がりを持つ領域のような、長手方向に延在する領域の範囲内に配置されることが好ましく、且つ当該領域の周囲の様々な位置に配置されることが好ましい。あるいはまた、燃料供給チャネル１２４'の代わりに、多孔質管（多孔質金属管など）又は非金属多孔質フィルタを使用することができる。燃料分配要素１２０用の開口１４０を有するキャップ１３８によって、燃料分配要素１３４は包囲されている。燃料分配要素１２０及び１３４は、一体的な要素（図示のように）とすることも、互いに連通している２つの個別の要素とすることもできる。
【００１５】
図１〜図３に示す例示的な燃料電池システム１００はまた、燃料極側副生物除去装置１４２と空気極側副生物除去装置１４４とを備える。前述のように、例示的なＤＭＦＣの燃料極側の副生物は二酸化炭素であり、空気極側の副生物は水蒸気と未使用空気である。燃料極側副生物除去装置１４２は、燃料領域１１２の出口端と連通している副生物排出チャネル１４６を有するマニホルドや他の分配機構を備えることが好ましい。副生物排出チャネル１４６内に、燃料分配要素１２０の端と接する長手方向に延在するスロット１４８を形成することができる。あるいはまた、燃料分配要素１２０の端の一部を、スロット１４８に挿入することができる。スロット１４８又は通気孔に液体ガス分離膜を組み込むことができ、当該膜を介して気体副生物を放出することができる。通気孔に加えて、低圧リリーフ弁や、図８を参照して後でより詳しく説明するような、真空力を生成する能動装置１５０を使用して、副生物排出チャネル１４６から副生物を排出することができる。空気極側副生物除去装置１４４は、単に、スロット１５５を有する副生物排出チャネル１５４を含むマニホルドや他の分配機構を介して酸化剤領域１１６から大気に副生物を放出するところの適切な通気孔１５２（必要に応じてファンを有する）とし得る。あるいはまた、酸化剤領域１１６は、特に平面燃料電池構造の場合には、自然空気対流によって空気が補充され且つ副生物が除去されるのに十分な程度に広くすることができる。
【００１６】
ここで、例示的な燃料供給チャネル１２４、酸化剤供給チャネル１３２、副生物排出チャネル１４６及び副生物排出チャネル１５４の断面形状は正方形であるが、この形状は、必要に応じて特定の状況に適合するよう変更し得ることに留意されたい。他の適切な断面形状として、限定はしないが、円形や長方形などの幾何学形状が挙げられる。
【００１７】
例示的な燃料分配要素１２０は、毛管（即ち、「吸上（ｗｉｃｋｉｎｇ）」）力を生成し、燃料分配要素の一端から他端に（及び左右に）燃料を吸引し、燃料を燃料極１０６表面に分配する。換言すると、燃料分配要素１２０は、毛管力を使用して、燃料領域入口から燃料を吸引し、当該燃料を燃料極１０６表面に受動的に分配する。毛管力を生成する構造は、単なる多孔質であり且つ消費されている液体燃料に対して大きな毛管力を生成しない構造とは区別するべきである。毛管力は、毛管構造の寸法及び接触角（これ自体は、液体燃料と毛管材料表面との間の相互作用の関数である）の関数である。単なる多孔質構造は、液体燃料を多孔質材料内に注入するポンプ（又は、他の能動要素）を必要とするが、図示する実施形態の燃料供給装置１１８では、燃料分配要素１２０の端まで送るだけでよい。
【００１８】
燃料分配要素１２０の全体又は一部を構成するために、種々様々な毛管構造を使用することができる。限定はしないが、例を示せば、（例示的な共用燃料極チャンバの実施形態では両面に）マイクロチャネルをエンボス加工されたフィルム、多孔質中空ファイバ、多孔質膜、発泡体、フィラメント束、織物又は不織布などの様々な非導電性材料を使用することができる。また、例示的な燃料分配要素１２０では、金属発泡体、炭素又はグラファイト発泡体、金属フィルタ、カーボンフィルタ、金属化発泡体、金属化膜、マイクロチャネルをエンボス加工された金属化フィルムなどの導電性材料を使用することもできる。［マイクロチャネルをエンボス加工されたフィルムは、後で図１３を参照してより詳しく説明する］。あるいはまた、非導電性毛管材料（多孔質中空ファイバなど）と導電性金属ファイバ／フィラメントとの組み合せを使用することができる。導電性材料は、燃料分配構造に組み込まれた電流コレクタとして機能し得る。あるいはまた、図５を参照して後で述べるように、電流コレクタは、単に、関連する電極に組み込まれている。
【００１９】
前述の例示的な燃料極と燃料分配要素は、燃料電池システムの組み立て時に互いに組合せ得る、個別の構造要素である。代替として、燃料分配要素を、燃料電池の燃料極自体に組み込むことができる。例えば図５に示すように、燃料電池１０２'は、両方とも導電性であり且つ毛管力を生成するよう構成されている触媒層１０６ａと電流コレクタ１０６ｂとを有する燃料極１０６'を備えることができ、それ以外は燃料電池１０２と同じである。より詳細には、電流コレクタ１０６ｂ'は、電流を収集することに加えて、触媒層１０６ａ上に燃料を受動的に分配する毛管力を生成する。そのような電流コレクタ１０６ｂ'は、先の段落で述べた導電性燃料分配材料のうちの１つ又は複数から形成することができる。例示的な燃料電池１０２'における燃料分配電流コレクタ１０６ｂ'は、電流コレクタの長手方向の端がチャネル１２４及び１４６のスロット１２６及び１４８内に延在するように構成することができる。あるいはまた、例示的な燃料電池１０２'は、図６〜図１１を参照して後で説明するもののような燃料分配管を備える燃料電池システム、並びに他のシステムにおいて用いることができる。
【００２０】
燃料が電流に比例する割合で供給されるように、燃料供給装置１１８の出力制御をはじめとする燃料電池システム１００の動作を制御するために、コントローラ１５６（図１参照）を用いることができる。定常状態では、燃料は、燃料が燃料分配要素１２０に供給される速度と同じ速度で消費され、それによって燃料クロスオーバーが減少する。あるいはまた、燃料は、時間ベースの単位で計量することができる。この場合、コントローラ１５６は、例えば、燃料供給装置１１８を制御して、システムが所定の期間（例えば、１分）動作できるのに十分な燃料を供給し、その期間の終わりに電流がまだ流れている場合に次の間隔の分の燃料を供給する。また、コントローラ１５６及び燃料供給装置１１８を用いることで、単に能動要素１２２を止めることで（即ち、ポンプの電源を切るか、又はブラダと関連する弁を閉じることによって）、燃料電池１０２を停止させることができる。システムが停止した際に燃料極１０６に残っている比較的少量の燃料を使用して、バッテリやキャパシタなどの実装されているエネルギー貯蔵装置１５８を充電することができる。あるいはまた、コントローラ１５６を省くことができ、例示的な燃料電池システム１００が電力を供給しているホスト装置によって制御機能をもたらすことができる。いずれの場合においても、特定の状況に適合するように燃料供給装置１１８の構成を変更し得ることに留意されたい。例えば、マニホルドは、スタック１０４内の全ての燃料供給チャネル１２４が単一の能動要素１２２に直接接続されるよう構成することができる。あるいはまた、各燃料供給チャネル１２４は、個々の能動要素１２２に接続することもできるし、燃料供給チャネルの小群を個々の能動要素に接続することもできる。
【００２１】
本燃料電池システムに関しては、様々な利点がある。例えば、燃料分配要素は、燃料極に燃料を薄い均一な層で送り、それによって、従来のシステムよりも燃料送出プロセスの正確な制御が容易となり、燃料クロスオーバーが減少し、効率が向上する。また、燃料クロスオーバーの減少により、より高い濃度の燃料の使用が容易となり、それによってシステム全体の重量が低下する。本燃料電池システムではまた、燃料ポンプ（又は他の能動要素）及び燃料分配要素によって、システムの向きとは関係なく燃料領域に燃料が送られ、燃料が燃料極表面に分配されるため、向き依存性ではない。本燃料電池システムはまた、燃料極における改善された燃料分配をもたらし、燃料送出プロセスの改善された制御を促進し、それによって燃料利用率がさらに改善される。さらに、燃料ポンプ（又は、他の能動要素）は、燃料を供給することに加え、燃料電池に負荷がかかっていない場合に燃料の流れを止めたり又は逆にしたりするために使用することができ、それによって全体の効率が改善される。
【００２２】
燃料分配要素１２０によってもたらされる毛管力に加えて、燃料電池システム（図１に示すシステム１００など）における燃料分配を、図６〜図７Ａに示す燃料供給装置１１８'によって強化することができる。燃料供給装置１１８'は、燃料供給装置１１８と実質的に類似する。しかしながら、この場合、燃料は、図３に示すように燃料分配要素の端に供給されるのとは対照的に、燃料供給チャネル１２４''から燃料分配要素１２０の側端の間（即ち、その外縁部の内側）の様々な領域に送られる。そのような構成は、燃料がより迅速且つ均一に分配されるため、応答速度を向上させ、そして比較的大きい表面積を有する燃料極を備えた燃料電池に特に有用である。図６〜図７Ａに示す例示的な実施形態では、燃料は、燃料供給チャネル１２４''から、複数の離間した燃料分配管１６０を介して、燃料分配要素１２０内の様々な位置に送られる。燃料供給チャネル１２４''は、燃料分配管１６０の吸込端１６４のための複数の開口１６２を備える。燃料分配管１６０の下流端１６６は、開いていても閉じていてもよい。
【００２３】
例示的な燃料分配管１６０は、それを介して燃料が燃料分配要素１２０に流れ込む孔１６８を備える液体非透過性材料から形成される。あるいはまた、燃料分配管１６０は、追加の孔があるか又はない多孔質材料から形成することも、又は多孔質材料と非多孔質材料の組み合わせから形成することもできる。分配管１６０はまた、それ自体で毛管力を生成し且つその長さに沿って燃料が流出し得る、液体透過性の多孔質中空ファイバの形状とすることができる。本明細書に示す例示的な燃料電池では、そのような多孔質中空ファイバは、親水性であることが好ましい。
【００２４】
例示的な実施形態における燃料分配管１６０と燃料分配要素１２０の相対的な位置決めに関して、各燃料領域１１２は、１対の燃料分配要素を含み、それらの間に複数の燃料分配管１６０が配置されている。燃料分配管の孔１６８は、燃料分配要素１２０に接している。符号１６１によって全体が示される燃料分配管１６０間のスペースによって、ガス状副生物は副生物チャネル１４６'の開口１６３へと流れることができる。あるいはまた、隣接する燃料電池１０２の配列方式に応じて、燃料分配管１６０は、各燃料領域１１２内に配置された単一の燃料分配要素１２０の上又は下に配置することができ、又はその中に埋め込むことができる。
【００２５】
燃料分配管１６０の断面形状は、燃料供給チャネル１２４''から副生物排出チャネル１４６'の位置まで延在していることが好ましく、必要に応じて特定の状況に適合するよう変更し得る。適切な断面形状として、限定はしないが、円形、正方形、長方形などの幾何学的形状が挙げられる。燃料分配管１６０の数と間隔も、必要に応じて変更することができる。例示的な実施形態では、開口に対する管の率は１以下であることが好ましい。
【００２６】
本発明による燃料電池システムは、未使用燃料を除去したり燃料分配要素１２０の毛管作用を妨げたりすることなく、燃料極側副生物の除去を容易にする副生物除去装置を備えることができる。例えば図８及び図９に示すように、燃料電池システム（図１に示すシステム１００など）は、複数の副生物除去管１７０を含む例示的な副生物除去装置１４２'を備えることができる。図示する実施形態では、副生物除去装置１４２'は、燃料分配管１６０を有する燃料供給装置１１８'も備えるシステム内にあり、副生物除去管１７０は、燃料分配管１６０の間に散在している。しかしながら、副生物除去装置１４２'は、燃料分配管を含まない、図３に示す燃料供給装置１１８のような、燃料供給装置を含む燃料電池システムにおいても使用し得ることに留意されたい。燃料極側の反応による副生物は、例示的な副生物除去管１７０に、その長さに沿って入る。副生物除去管１７０の排出端１７２は、副生物排出チャネル１４６'の開口１６３に接続されている。この方式で副生物を除去することにより、反応が生成物方向へと促進され、それによって燃料電池の反応速度が改善され、反応速度が高まることにより出力密度が向上する。さらに、反応チャンバから気体状副生物を除去することにより、有効表面積及び出力密度が増大する。排気弁などの制御要素を備えた閉じたシステムでは、酸素を導入することなく副生物を除去することができる。
【００２７】
図示する実施形態における燃料は液体（メタノール／水混合物）であり、燃料極側副生物は、気体（二酸化炭素）である。燃料を除去することなく副生物を除去するために、例示的な副生物除去管１７０は、液体非透過性で気体透過性である。例えば、副生物除去管１７０は、孔１７６と、気体透過性で液体非透過性のライニング材１７８とを含む液体非透過性材料から形成される。気体透過性で液体非透過性のライニング材料１７８は、例えばＧｏｒｅ−ｔｅｘ（登録商標）や、適切なサイズの孔を有するポリプロピレンなどの膜材料から形成することができ、副生物除去管１７０の内部（図示するように）にあっても外部にあってもよい。他の代替の副生物除去管については、後で図１０及び図１１を参照して説明する。
【００２８】
好ましくは燃料供給チャネル１２４''近傍の位置から副生物排出チャネル１４６'まで延在するところの副生物除去管１７０の断面形状は、必要に応じて特定の状況に適合するよう変更し得る。適切な断面形状として、限定はしないが、円形、正方形、長方形などの幾何学的形状が挙げられる。副生物除去管１７０の数と間隔も、必要に応じて変更することができる。それらが１対１の比率で燃料分配管１６０の間に散在している例示的な実施形態では、開口領域又は副生物除去管に対する燃料分配管の比率は１以下であることが好ましい。燃料分配管１６０がない場合には、副生物除去管１７０の数を増やすことができる。燃料分配要素１２０に対する副生物除去管１７０の位置決めに関しては、副生物除去管は、燃料分配要素の上又は下に配置することができ、又は（図示するように）燃料分配要素の中に埋め込むことができる。
【００２９】
さらに、図１を参照して先述したように、例示的な燃料電池１０２の燃料極側から副生物の除去を強化するための任意選択の機構は、ポンプなどの前述の能動要素１５０である。能動要素１５０はまた、複数の副生物除去管を含む副生物除去装置１４２'及び１４２''（後に説明する）のうちの１つのような、副生物除去装置と組み合わせて用いることができる。
【００３０】
図１０及び図１１に、本発明の他の例示的な実施形態を示す。ここでは、燃料電池システム（図１に示すシステム１００など）は、燃料供給装置と副生物除去装置とを備えており、その両方が中空多孔質ファイバ形状の管を備えている。より詳細には、例示的な燃料供給装置１１８''では、燃料分配管１６０'は、燃料が管の一端（即ち、燃料供給チャネル開口１６２に挿入されている端）から他端に吸引される際、液体燃料が燃料分配要素１２０内に流出することを可能とするところの親水性多孔質中空ファイバの形態である。副生物除去に関しては、例示的な副生物除去装置１４２''の副生物除去管１７０'は、その長さに沿って液体燃料に対し非透過性であり且つ気体状副生物に対して透過性であるところの疎水性多孔質中空ファイバの形態である。副生物は、副生物除去管１７０'に入った後、副生物排出チャネル１４６'を介して燃料電池システムから出る。
【００３１】
図１０及び図１１に示す例示的な実施形態では、燃料分配管１６０'と副生物除去管１７０'は、互いに接して散在している。その間隔は、必要に応じて、特定の状況に適合するよう変更することができる。副生物除去管１７０'は、（本実施形態及び図１２に示す例示的な実施形態の両方において）断面積が燃料分配管１６０'よりも多少小さいが、管数に関する比率は１対１である。この比率もまた、必要に応じて、特定の状況に適合するよう変更することができる。あるいはまた、副生物除去管１７０'は、燃料分配管１６０'と同じ寸法とすることも、燃料分配管よりも大きくすることもできる。位置決めに関しては、燃料分配管１６０'と副生物除去管１７０'は、燃料分配要素の上又は下に配置することも、（図示するように）燃料分配要素の中に埋め込むこともできる。
【００３２】
また、例えば図１２に示すように、燃料分配に使用される親水性多孔質中空ファイバ１６０'と、副生物除去に使用される疎水性多孔質中空ファイバ１７０'とは、単純に、燃料分配要素１２０なしに燃料電池１０２の表面に近接して配置することができる。
【００３３】
図１３に移ると、小さな等しい半径を有し且つ毛管力を生成する、極めて微細なチャネル１８２をプラスチックフィルム１８０にエンボス加工することができる。液体燃料との適切な接触角を容易にするように、フィルムのうちのいくつかを表面処理しなければならない場合がある。例えば、ＤＭＦＣにおいては、表面は、メタノール及び水の混合物と、小さい〜きわめて小さい接触角をなすことが好ましい。この表面処理はまた、その上における液体燃料の繰り返し輸送並びに燃料極チャンバ環境に対し安定である必要がある。ＤＭＦＣ燃料や他の極性燃料に関しては、プラズマコーティング又は金属若しくは金属酸化物被覆が適している場合がある。
【００３４】
例えば図１４〜図１６に図示するように、気体透過性で液体非透過性のストリップ１８４を、隔置された燃料分配管１６０'の間に配置することができる。気体透過性で液体非透過性のストリップ１８４は、副生物除去スペース１６１に紛れ込む可能性のある液体燃料の量を実質的に減少させ、その結果、燃料極近傍の副生物気体の量が減少する。適切な気体透過性で液体非透過性の材料には、Ｇｏｒｅ−ｔｅｘ（登録商標）や、適切な寸法の孔を有するポリプロピレンなどの膜材料が含まれる。
【００３５】
以上、好ましい実施形態に関して本発明を説明してきたが、当業者には、以上述べた好ましい実施形態に対する多数の修正及び／又は追加が自明であろう。限定はしないが、例を示せば、本明細書に開示した反応物及び副生物用システムは、空気極側反応物が液体であるか、又は反応副生物が液体（水など）であり反応物が気体（空気やＯ２など）である例における燃料電池の空気極側に採用することができる。さらに、燃料電池スタックや他の複数電極の構成に関して本発明を説明しているが、本発明は単一の燃料電池機構にも適用可能である。また、前述の反応物供給装置と副生物除去装置は、毛管力を生成しない多孔質燃料分配要素だけを含む燃料電池に応用することもできる。本発明の範囲は、そのような修正及び／又は追加の全てに及ぶことを意図している。
【図面の簡単な説明】
【００３６】
【図１】本発明の好ましい実施形態による燃料電池システムの図
【図１Ａ】本発明の好ましい実施形態による燃料電池構成を示す平面図
【図２】図示する実施形態と共に用い得る燃料電池の分解組立断面図
【図３】本発明の好ましい実施形態による燃料電池スタックの側面断面図
【図４】本発明の好ましい実施形態による燃料電池スタックの部分側面断面図
【図５】本発明の好ましい実施形態による燃料電池の部分側面断面図
【図６】本発明の好ましい実施形態による燃料電池スタックの部分平面断面図
【図７】図６の線７−７に沿って切断した断面図
【図７Ａ】図６の線７Ａ−７Ａに沿って切断した断面図
【図８】本発明の好ましい実施形態による燃料電池スタックの部分平面部分断面図
【図９】本発明の好ましい実施形態による副生物除去管の断面図
【図１０】本発明の好ましい実施形態による燃料電池スタックの部分平面部分断面図
【図１１】図１０の線１１−１１に沿って切断した断面図
【図１２】本発明の好ましい実施形態による燃料電池スタックの部分断面図
【図１３】本発明の好ましい実施形態による燃料電池スタックの部分断面図
【図１４】本発明の好ましい実施形態による燃料電池スタックの部分平面断面図
【図１５】図１４の線１５−１５に沿って切断した断面図
【図１６】図１４の線１６−１６に沿って切断した断面図
【図１】
2006501629.tif 000003
【図２】
2006501629.tif 000004
【図３】
2006501629.tif 000005
【図４】
2006501629.tif 000006
【図５】
2006501629.tif 000007
【図６】
2006501629.tif 000008
【図７】
2006501629.tif 000009
【図８】
2006501629.tif 000010
【図９】
2006501629.tif 000011
【図１０】
2006501629.tif 000012
【図１１】
2006501629.tif 000013
【図１２】
2006501629.tif 000014
【図１３】
2006501629.tif 000015
【図１４】
2006501629.tif 000016
【図１５】
2006501629.tif 000017
【図１６】
2006501629.tif 000018
【国際調査報告】
2006501629.tif 000019
2006501629.tif 000020
2006501629.tif 000021
2006501629.tif 000022
2006501629.tif 000023